(57)【特許請求の範囲】
【請求項１】
前面に入球手段が形成された遊技盤と、
前記遊技盤の裏面に配置され、前記入球手段に入球した遊技球を下方に排出する排出領域が形成された球排出板と、
前記遊技盤と前記球排出板とを連結する連結手段と、
前記球排出板の裏面側に配置される制御装置と、
前記球排出板に設けられ、前記制御装置を前記遊技盤に対して回動可能となるように支持する支持部材と、
前記遊技盤に対する前記制御装置の回動を規制する回動規制手段と、
前記球排出板と前記制御装置との間に配置され、前記制御装置と前記遊技盤との間の空間を囲う周壁を有する中間部材と、
を備える遊技機であって、
前記回動規制手段により前記制御装置の回動が阻止されている状態から当該回動が許容される状態への所定の痕跡の生じない変化を阻止する手段を備え、
前記連結手段による前記遊技盤と前記球排出板との連結は、前記回動規制手段により前記制御装置の回動が阻止されている場合に解除不能であり、前記制御装置の回動が許容された場合に解除可能となる、
ことを特徴とする遊技機。
【発明の詳細な説明】
【技術分野】
【０００１】
本発明は、パチンコ機に代表される遊技機に関するものである。
【背景技術】
【０００２】
遊技盤と基板ボックスとを備えた遊技機がある。
このような構成の遊技機としては、次のものが挙げられる。
【先行技術文献】
【特許文献】
【０００３】
【特許文献１】特開２００４−０３３６０３
【発明の概要】
【発明が解決しようとする課題】
【０００４】
近年では、上記文献にあるような主基板ケース５３に対する不正対策だけでなく、他についても対策しておくことが好ましい。
【０００５】
本発明は、かかる問題点に鑑みて案出されたものであり、不正行為を防止することを目的とする。
【課題を解決するための手段】
【０００６】
上記の課題を解決するために、本発明に係る遊技機は、
前面に入球手段が形成された遊技盤と、
前記遊技盤の裏面に配置され、前記入球手段に入球した遊技球を下方に排出する排出領域が形成された球排出板と、
前記遊技盤と前記球排出板とを連結する連結手段と、
前記球排出板の裏面側に配置される制御装置と、
前記球排出板に設けられ、前記制御装置を前記遊技盤に対して回動可能となるように支持する支持部材と、
前記遊技盤に対する前記制御装置の回動を規制する回動規制手段と、
前記球排出板と前記制御装置との間に配置され、前記制御装置と前記遊技盤との間の空間を囲う周壁を有する中間部材と、
を備える遊技機であって、
前記回動規制手段により前記制御装置の回動が阻止されている状態から当該回動が許容される状態への所定の痕跡の生じない変化を阻止する手段を備え、
前記連結手段による前記遊技盤と前記球排出板との連結は、前記回動規制手段により前記制御装置の回動が阻止されている場合に解除不能であり、前記制御装置の回動が許容された場合に解除可能となる、
ことを特徴としている。
【発明の効果】
【０００７】
本発明によれば、不正行為を防止する効果を奏する。
【図面の簡単な説明】
【０００８】
【図１】本発明にかかる遊技機の一例であるパチンコ機の正面図である。
【図２】本発明にかかる遊技機の一例であるパチンコ機の斜視図である。
【図３】本発明にかかる遊技機の一例であるパチンコ機の前面枠の斜視図である。
【図４】本発明にかかる遊技機の一例であるパチンコ機に対して前面枠を開いた状態を示す斜視図である。
【図５】本発明にかかる遊技機の一例であるパチンコ機に対して前面枠を開いた状態を示す正面図である。
【図６】本発明にかかる遊技機の一例であるパチンコ機の遊技盤の正面図である。
【図７】本発明にかかる遊技機の一例であるパチンコ機の背面図である。
【図８】本発明にかかる遊技機の一例であるパチンコ機のセット板を開いた背面の斜視図である。
【図９】本発明にかかる遊技機の一例であるパチンコ機の遊技盤３０の裏面に、基板ボックスを球集合板、スペーサーとユニット化した状態で装着したときの斜視図である。
【図１０】本発明にかかる遊技機の一例であるパチンコ機の基板ボックスを球集合板、スペーサーとユニット化した状態で装着する前の状態の斜視図である。
【図１１】本発明にかかる遊技機の一例であるパチンコ機に用いる破断ネジの正面図である。
【図１２】本発明にかかる遊技機の一例であるパチンコ機の基板ボックスを連結台座部材、スペーサーと共に遊技盤の裏面から外した状態の一方向から見た斜視図である。
【図１３】本発明にかかる遊技機の一例であるパチンコ機の基板ボックスを連結台座部材、スペーサーと共に遊技盤の裏面から外した状態の他の方向から見た斜視図である。
【図１４】本発明にかかる遊技機の一例であるパチンコ機の基板ボックス、球集合板、スペーサーをユニット化した状態の一方向から見た斜視図である。
【図１５】本発明にかかる遊技機の一例であるパチンコ機の基板ボックス、球集合板、スペーサーをユニット化した状態の他の方向から見た斜視図である。
【図１６】本発明にかかる遊技機の一例であるパチンコ機の基板ボックス、球集合板、スペーサーをユニット化した状態の正面図（遊技盤の裏面側から見た）である。
【図１７】本発明にかかる遊技機の一例であるパチンコ機の基板ボックス、球集合板、スペーサーをユニット化した状態の一側面図（遊技盤の横面側から見た）である。
【図１８】本発明にかかる遊技機の一例であるパチンコ機の基板ボックス、スペーサーをユニット化した状態の平面図（遊技盤の上面側から見た）である。
【図１９】本発明にかかる遊技機の一例であるパチンコ機の基板ボックス、球集合板、スペーサーをユニット化した状態の底面図（遊技盤の下面側から見た）である。
【図２０】本発明にかかる遊技機の一例であるパチンコ機の基板ボックス、球集合板、スペーサーをユニット化した状態の他側面図（遊技盤の横面側から見た）である。
【図２１】本発明にかかる遊技機の一例であるパチンコ機の図２０における球集合板４６０及びスペーサー５０１の要部を切り欠いた一部断面側面図である。
【図２２】本発明にかかる遊技機の一例であるパチンコ機の基板ボックスを、スペーサー及び球集合板に対する被覆状体から開放（回動）させた状態の一方向から見た斜視図である。
【図２３】本発明にかかる遊技機の一例であるパチンコ機の基板ボックスを、スペーサー及び球集合板に対する被覆状体から開放（回動）させた状態の他の方向から見た斜視図である。
【図２４】本発明にかかる遊技機の一例であるパチンコ機の基板ボックスが、スペーサー及び球集合板に対する被覆状体から開放（回動）させるときの作用工程を示す要部の縦断側面図である。
【図２５】本発明にかかる遊技機の一例であるパチンコ機の基板ボックスがスペーサー及び球集合板に対して開放されている状体から被覆状体に移行する（回動）ときの作用工程を示す要部の縦断側面図である。
【図２６】本発明にかかる遊技機の一例であるパチンコ機の球集合板の遊技盤の裏面側から見た斜視図である。
【図２７】本発明にかかる遊技機の一例であるパチンコ機の球集合板の背面図（遊技盤の正面側から見た）である。
【図２８】本発明にかかる遊技機の一例であるパチンコ機のスペーサーの正面図（遊技盤の裏面側から見た）である。
【図２９】本発明にかかる遊技機の一例であるパチンコ機のスペーサーの背面図（遊技盤の正面側から見た）である。
【図３０】本発明にかかる遊技機の一例であるパチンコ機の係止部材の遊技盤及び球集合板に対する嵌着作用を示す一方向から見た要部の斜視図である。
【図３１】本発明にかかる遊技機の一例であるパチンコ機の係止部材の遊技盤及び球集合板に対する嵌着作用を示す他の方向から見た要部の斜視図である。
【図３２】本発明にかかる遊技機の一例であるパチンコ機の係止部材により遊技盤及び球集合板が嵌着された状態の要部の斜視図である。
【図３３】本発明にかかる遊技機の一例であるパチンコ機の遊技盤の嵌合部の開口を示す正面図（遊技盤の裏面側から見た）である。
【図３４】本発明にかかる遊技機の一例であるパチンコ機の遊技盤の嵌合部の図３３におけるＡ−Ａ矢視断面である。
【図３５】本発明にかかる遊技機の一例であるパチンコ機の遊技盤の嵌合部の図３３におけるＢ−Ｂ矢視断面である。
【図３６】本発明にかかる遊技機の一例であるパチンコ機のスペーサーに設けられた保持部の全体の上側の一方向から見た斜視図である。
【図３７】本発明にかかる遊技機の一例であるパチンコ機の保持部の全体の上側の他の方向から見た斜視図である。
【図３８】本発明にかかる遊技機の一例であるパチンコ機の保持部の全体の平面図である。
【図３９】本発明にかかる遊技機の一例であるパチンコ機の保持部の本体から弾性係合機構の要部を取り外した状態の斜視図である。
【図４０】本発明にかかる遊技機の一例であるパチンコ機の保持部の本体から弾性係合機構の要部を取り外した状態の平面図である。
【図４１】本発明にかかる遊技機の一例であるパチンコ機の弾性係合機構の要部の前側から見た斜視図である。
【図４２】本発明にかかる遊技機の一例であるパチンコ機の弾性係合機構の要部の後側から見た斜視図である。
【図４３】本発明にかかる遊技機の一例であるパチンコ機の弾性係合機構の要部の側面図である。
【図４４】本発明にかかる遊技機の一例であるパチンコ機の弾性係合機構の要部の平面図である。
【発明を実施するための形態】
【０００９】
本発明において、「基板ボックスが遊技盤の裏面を被覆する被覆状態と露出する露出状態とに開閉自在とする」とは、例えば、基板ボックスの一側に回動軸心を設けて基板ボックスを回動させ、遊技盤裏面を被覆する状態と開放した状態とを得るようにすることを言う。
本発明にいう「遊技盤裏面及びここに設けられた球集合板に敷設の各種の電気部品」とは、中継基板、始動口及び可変入賞装置、大入賞口装置等をいう。
また、スペーサーとは、中間部材を指し、球集合板と基板ボックスとの間に介装した空間占拠部材をいうもので、主たる目的は、両者間の空間存在による不正を未然に回避せんとして設けられるものをいう。
【００１０】
本発明にかかる遊技機は、手段１として、
遊技盤の裏面に球集合板が設けられ、該球集合板は、入賞口に入球した遊技球を遊技盤裏面側において遊技機下方へ排出する排出領域（排出樋）が形成されたものであり、前記基板ボックスを支持する連結台座部材が回動自在に設けられ、該連結台座部材に基板ボックスが取り付けられ、該基板ボックスが遊技盤の裏面を被覆する被覆状態と露出する露出状態とに開閉自在とされた遊技機であって、
前記球集合板と前記基板ボックスとの間にスペーサーが介装され、
前記スペーサーが前記球集合板の前面側からネジ留めされ、
両端に係合用の突片が備えられた係止部材を備え、
前記係止部材の一端の前記突片を係合させる取り付け部が、前記球集合板の前面側の両端部近傍位置で、且つ、該球集合板の裏面側の前記スペーサーにより被覆される位置に少なくとも各一箇所設けられ、
前記係止部材の他端の前記突片を係合させる嵌合部が前記遊技盤の裏面の対応する箇所に設けられ、
前記係止部材により前記球集合板がスペーサーと共に前記遊技盤に嵌合固定されるように構成されていることを特徴とする。
【００１１】
このように構成したことで、前記スペーサーが前記球集合板の前面側からネジ留めされることで、スペーサーと球集合板とが一体、ユニット化され、球集合板に敷設の中継基板等の電気部品とともに遊技盤に対する取り付け作業が一本化できるのである。
この際、前記ネジ留めが、球集合板の前面側から行われるので、このユニット化された球集合板及びスペーサーが一旦遊技盤に取り付けられると、そのネジ留めは、遊技盤と球集合板とに挟まれて被覆された状態となり、外部から外される虞がなく、不正防止となる。
そして、ユニット化された球集合板及びスペーサーの遊技盤への取付けは、係止部材によって、球集合板に対しても遊技盤に対しても嵌合固定方式で取り付けることができるので、組み付け作業が容易に行い得る。
【００１２】
手段２：手段１の遊技機において、
前記係合用の突片が備えられた係止部材が、弾性変形可能な合成樹脂により成型され、且つ、前記突片にモドリ（段部）が形成され、該突片の弾性変形により、前記球集合板及び遊技盤に対して解除不能に嵌合固定されていることを特徴とする。
【００１３】
このように、係止部材の弾性変形を利用し、その突片にモドリ（段部）を形成したことで、一端係合が突片なされれば、その嵌合方向での押し引きでは係合解除できないもので、簡単な構造でありながら、前記球集合板及び遊技盤に対して解除不能の嵌合固定を行い得る。
【００１４】
手段３：手段１又は手段２の遊技機において、
前記球集合板の前記取り付け部は、該球集合板の前面側にボス部を備えており、該ボス部は、該球集合板の前面のレベルよりも外方に突設され、前記遊技盤の裏面の嵌合部に密着嵌合されるように構成されていることを特徴とする。
【００１５】
このように構成したことで、球集合板の遊技盤に対する嵌着は、前記係止部材だけでなく、前記ボス部によっても行われるのであり、前記係止部材は、嵌合状態を維持させる係止の役目が主たるものであるのに対し、このボス部は、遊技盤の嵌合部に密着嵌合されることで、その係止された状態での堅固な嵌合状態を得ることができる。
そして、係止部材が弾性変形を有する素材の場合に、その嵌合固定に加え、剛体のボス部による嵌合固定により、より堅固な連結状態を得ることができる。
【００１６】
手段４：手段３の遊技機において、
前記ボス部は、略半円弧状体が所定の間隔を隔てて対向配置されて構成され、該半円弧状体の間に前記係止部材の他端が位置され、該係止部材に対する防護壁を兼ねていることを特徴とする。
【００１７】
このように、ボス部を、略半円弧状体の対向位置で構成し、その間に前記係止部材を位置させることで、弾性を有する係止部材を剛体のボス部の略半円弧状体で保護し、遊技盤の嵌合部への嵌合に際して、その嵌合部への衝突で変形して係止機能が発揮されなくなるような事態を回避させることができる。
【００１８】
手段５：手段１乃至手段４の遊技機において、
前記球集合板の前記取り付け部のボス部の外形又は仮想外形が、略長円形を成すように構成され、且つ、該球集合板の両端部において、一方のボス部は、その長円の長軸が上下の方向に向き、他方のボス部の長円の長軸が左右の方向に向くように構成されていることを特徴とする。
上記仮想外形とは、ボス部の外郭が連続したものとして見たときの外形で、ボス部が、間隔を隔てて配置された略半円弧状体で構成されているときには、それらを繋ぐ外形をいう。
【００１９】
このように、ボス部を長円形（トラック形）とし、球集合板の両端部におけるボス部の長円の長軸を、一方が上下方向（遊技盤の上下）に向き、他方が左右方向（遊技盤の左右）に向くようにすることで、長円形のボス部の持つ強度（長軸方向に強い）を夫々発揮させ、全体として堅固な嵌合状態を得ることができる。
【００２０】
手段６：手段１乃至手段５の遊技機において、
前記球集合板が、その外周近傍位置に沿って球集合板周壁を備えており、前記取り付け部が該球集合板周壁に近接されて又はその一部が一体的に成形されていることを特徴とする。
前記取り付け部は、係止部材を介して遊技盤に連結されることになるもので、嵌着時の荷重が作用し、強度が求められるが、球集合板自体は薄肉の成型品であるため十分な強度を得がたいところ、この設置位置を、球集合板周壁に近接又はその一部が一体的とされることで、補強のリブ機能を発揮する球集合板周壁によって十分な強度を得ることができる。
【００２１】
手段７：手段１乃至手段４の遊技機において、
前記係止部材の一端の前記突片を係合させる取り付け部が、前記球集合板４６０の左右側部の上方突出板部で、前記スペーサーに被覆されない位置にも、前記遊技盤３０に対する一対の取り付け部４７８、４７８が設けられていることを特徴とする。
このように、係止部材による嵌着を、球集合板の左右側部の上方突出板部でも行うことができるようにしたことで、球集合板の上下左右側部の４箇所で嵌合固定させることができて、遊技盤に対する取り付けを強固なものとすることができる。
【００２２】
手段８：手段１乃至手段７の遊技機において、
前記球集合板の前記スペーサーに被覆されていない箇所に、前記遊技盤に対するネジ止め部が複数個所設けられていることを特徴とする。
上記の係止部材による球集合板の遊技盤に対する嵌着が成されるが、この嵌着は、連結機能の他に、係止部材の嵌合がスペーサーに被覆された位置で、外方から外すことができないという一種の封止機能を発揮しているが、遊技盤に対する連結固定として、更に、スペーサーに被覆されていない箇所において、複数のネジ留めが成されることで、全体として強固な連結取り付け状態を得ることができる。
【００２３】
手段９：手段１乃至手段８の遊技機において、
前記係止部材は、弾性を備えた合成樹脂成型で、全長の略中間位置にから一方に二股条の小突片が突設され、一端部から前記小突片と同一方向に二股条の大突片が突設され、その先端は、前記二股条の小突片の基部よりも手前で終端し、これらの小突片及び大突片の先端部の外側には係り止めとしてのモドリ（段部）が、夫々形成されていることを特徴とする。
【００２４】
このように、係止部材を簡単な小型の単品成型品として安価に提供できると共に取り扱いが容易であり、その二股条の突片構造によって、球集合板及び遊技盤の夫々に対して、２箇所での安定係止が行い得る。そして、これらの小突片及び大突片の先端部の外側には係り止めとしてのモドリ（段部）が設けられていることで、球集合板及び遊技盤に対して弾性変形して嵌合がなされ、一旦係合が行われると、その弾性復元により、解除不能の係合が得られ、これによって、堅固な連結状態を得ることができる。
【００２５】
手段１０：手段１乃至手段９の遊技機において、
該球集合板に、前記連結台座部材の回動軸を軸着するための軸受け溝を有する軸受け部が設けられ、
前記スペーサーに、前記軸受け溝を閉鎖して軸受け部を完成させる軸支部が設けられ、
前記スペーサーの、前記基板ボックスが被覆状態にあるときに前記基板ボックスにより被覆される部分に保持部が設けられ、
前記保持部は、前記基板ボックスと前記連結台座部材とが封止された状態で前記基板ボックスを被覆方向に回動させることで該基板ボックスを閉状態に保持きるように構成されていることを特徴とする。
【００２６】
このように構成したことで、球集合板を遊技盤に取り付ける際に、スペーサーの球集合板への取り付け時に連結台座部材が軸着されることになり、この連結台座部材と基板ボックスとが封止されていることで、これら球集合板、スペーサー、連結台座部材及び基板ボックスがユニットとして、前記係止部材を用いて、遊技盤に取り付けられることになり、組み付けの作業性を大幅に向上させることができる。
【００２７】
手段１１：手段１０の遊技機において、
前記基板ボックスと前記連結台座部材とが連結台座封止部により封止されると共にその封止が解除されることで前記連結台座部材に対して前記基板ボックスが変位可能とされ、
前記基板ボックスと前記連結台座部材との封止が解除されると前記基板ボックスの変位を許容して、前記保持部の保持状態を解除できるように構成されていることを特徴とする。
【００２８】
このように、前記球集合板と前記基板ボックスとの間のスペーサーによって、両者間のスペースを埋め、両者間からの不正介入を困難なものとすると共に該スペーサーの、前記基板ボックスが被覆状態にあるときに前記基板ボックスにより被覆される部分に保持部を設けたことで、前記基板ボックスの被覆状態の保持が容易に解除され得ないのであり、これによって、基板ボックスを回動させ被覆状態を開放して遊技盤の裏面側の電気部品に対する不正を働くことを阻止できるのである。更に、必要に応じ、基板ボックスと連結台座部材との連結台座封止部の封止を解除することで、前記連結台座部材に対して前記基板ボックスを変位させ、此れにより前記保持部の保持状態を解除して前記基板ボックスの被覆状態を開放し、同時に前記基板ボックスを連結台座部材から取り外すことができるのである。
そして、このような不正防止機能を備えたスペーサー、基板ボックスを取り付けるに、球集合板、スペーサー、基板ボックスをユニット化して、係止部材により嵌合方式で簡単に取付けできるのである。
【００２９】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００３０】
（パチンコ機の正面構成）
図１は本実施形態のパチンコ機１０の正面図であり、図２は、パチンコ機１０の前面からの斜視図であり、図３は、前面枠１４の斜視図である。図４は、前面枠１４を開いた状態の斜視図であり、図５は、前面枠１４を開いた状態の正面図であり、図６は、遊技盤３０の正面図である。
【００３１】
図１ないし図６に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００３２】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００３３】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３４】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３５】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００３６】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３７】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４乃至図６に示す遊技盤３０が着脱可能に装着されている。図６に示すように、遊技盤３０は四角形状の合板よりなり、上部一方のコーナーが角落されており（後に述べる）、その周縁部が樹脂ベース２０（内枠１２）の裏側に当接した状態で取着されている。
【００３８】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図６に示すように、略三角形状に角落ち（切り欠き）７２０されている（切り欠きは円弧線であるが実質三角形の切り欠きとなる）。
【００３９】
次に、図６用いて遊技盤３０の構成を説明する。図６は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００４０】
尚、上記入賞検出センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４１】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００４２】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４３】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４４】
内レール５１の先端部分（図６の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図６の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００４５】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００４６】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図６のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図６のＳ１，Ｓ２）を貼着することで、遊技盤３０と証紙との一義性を持たせることができる。
【００４７】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００４８】
前記樹脂ベースにおいて、窓部孔２１（遊技盤３０）の下方には、遊技球発射装置３８より発射された直後に遊技球を案内するための発射レール１７０が取り付けられている。発射レール１７０は、その後方の金属板（ここではアルミ合金）であるベース板１７１（遊技球発射装置３８を取り付けるための部材）を介して樹脂ベース１７２に取付、固定されており、所定の発射角度（打ち出し角度）にて直線的に延びるよう構成されている。
従って、遊技球発射ハンドル１８の回動操作に伴い発射された遊技球は、まずは発射レール１７０に沿って斜め上方に打ち出され、その後前述した通りレールユニット５０の球案内通路を通じて所定の遊技領域に案内されるようになっている。
【００４９】
また、発射レール１７０とレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００５０】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００５１】
なお、図５に示すように、遊技球発射装置３８には、前面枠１４側の球出口（上皿１９の最下流部より通じる球出口）から遊技球が１つずつ球送り機構１７３に供給され、この球送り機構１７３に設けられたゲートレバー１７３Ａが、ソレノイドより作動され、遊技球を１球づつ発射レール上に供給する。また、遊技球発射装置３８には、合成樹脂製のサイ頭円錐形の打球部３８Ａが設けられ、軸部３８Ｂの先端に固定されており、ソレノイドの励磁によって打球部３８Ａのピストン運動に伴い遊技球が発射される。
【００５２】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００５３】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００５４】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５５】
ここで、前述した前面枠１４について、図１乃至図６を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００５６】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００５７】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００５８】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００５９】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６０】
（パチンコ機の背面構成）
図７及び図８は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００６１】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００６２】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００６３】
図６に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図６参照）も同様に排出通路に通じており、何れの入賞口にも入賞しなかった遊技球も排出通路２１８を介してパチンコ機１０外部に排出される。
【００６４】
その他、図７に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００６５】
第１制御基板ユニット２０１は、遊技盤３０の裏面側に配設され、制御基板を収容する第１基板ケース２０１Ａを有し、この第１基板ケース２０１Ａに主制御装置２６１が搭載されている。この実施例では、第１基板ケース２０１Ａは基板ボックスを構成するものであるが、その他の制御基板を収納する基板ケースについても、本発明において基板ボックスと呼称できるものとする。ここでは、第１基板ケース２０１Ａを、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケースに収容された構成とされる。
【００６６】
第２制御基板ユニット２０２は、台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００６７】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００６８】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６９】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００７０】
図７に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００７１】
そして、図４に示す通り、前記内枠１２の外枠１１に対する枢着部７２５に近い前記遊技盤３０のコーナーが、図６に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００７２】
ここで、上述したエラー状態などの状態報知について図１及び図７に基づいて述べる。［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図７に示すモニターＬＥＤ８１１が消灯し、状態表示８１２が「１」を点滅表示する。
【００７３】
（下受け皿満タン）
下受け皿満タンの報知は、図１に示す右コーナーＬＥＤ８１３が点灯し、図７に示すモニターＬＥＤ８１１が消灯する。そして、状態表示８１２が「２」を点滅表示する。
【００７４】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７５】
［電源に関するエラー報知］
（ヒューズ切れ１及びヒューズ切れ２）
ヒューズ切れ１は、図７に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７６】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図７において、８１９は、遊技機電源コードを示し、８２０は、電源スイッチを示し、８２１は、外部接続アース線を示す。
【００７７】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００７８】
前記第１制御基板ユニット２０１は、第１基板ケース２０１Ａ、後述の連結台座部材４３０を含み、第１基板ケース２０１Ａは、第１制御基板ユニット２０１の主要部をなす部材であり、図７乃至図２３に示すように、外側ケース（第１ケースまたは第２ケース）７０および内側ケース（第２ケースまたは第１ケース）８５を含む。この実施例では、外側ケース７０が主制御装置２６１の制御基板８０を収容する容積のある方であり、内側ケース８５がその蓋体に相当する方である。なお、外側ケース７０および内側ケース８５は、いずれを第１ケースとしてもよい。
この第１基板ケース２０１Ａは、前記外側ケース７０側に設けられる外側封印部７１と、前記内側ケース８５側に設けられる内側封印部８６と、その外側封印部７１と内側封印部８６とを連結する封印部材８７（図１２、１３参照）とを有し、その封印部材８７によって前記外側封印部７１と内側封印部８６とが連結されている場合に前記制御基板８０を取り出すときには第１基板ケース２０１Ａを破壊するか或いは所定の部位を切断することを必要とするものである。
【００７９】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７（図１２、１３参照）を用いて封印するよう構成されたものであり、こうした封印構造は、公知に属するものと変わらないものであるから、ここでの詳細説明は省略する。
【００８０】
図９は、遊技球が流下する遊技領域を前面側に形成してある遊技盤３０の裏面に、第１基板ケース２０１Ａ（基板ボックス）を球集合板４６０、スペーサー５０１とユニット化した状態で装着したときの斜視図であり、図１０は、第１基板ケース２０１Ａ（基板ボックス）を球集合板４６０、スペーサー５０１とユニット化した状態で装着する前の状態の斜視図であり、図１１は、破断ネジの正面図である。図１２は、第１基板ケース２０１Ａ（基板ボックス）を連結台座部材４３０、スペーサーと共に遊技盤３０の裏面から外した状態の一方向から見た斜視図で、図１３は、第１基板ケース２０１Ａ（基板ボックス）を連結台座部材４３０、スペーサーと共に遊技盤３０の裏面から外した状態の他の方向から見た斜視図で、図１４は、第１基板ケース２０１Ａ（基板ボックス）、球集合板４６０、スペーサー５０１をユニット化した状態の一方向から見た斜視図であり、図１５は、第１基板ケース２０１Ａ（基板ボックス）、球集合板４６０、スペーサー５０１をユニット化した状態の他の方向から見た斜視図である。図１６は、第１基板ケース２０１Ａ（基板ボックス）、球集合板４６０、スペーサー５０１をユニット化した状態の正面図（遊技盤の裏面側から見た）である。
【００８１】
図１７は、第１基板ケース２０１Ａ（基板ボックス）、球集合板４６０、スペーサー５０１をユニット化した状態の一側面図（遊技盤の横面側から見た）であり、図１８は、第１基板ケース２０１Ａ（基板ボックス）、球集合板４６０、スペーサー５０１をユニット化した状態の平面図（遊技盤の上面側から見た）であり、図１９は、第１基板ケース２０１Ａ（基板ボックス）、球集合板４６０、スペーサー５０１をユニット化した状態の底面図（遊技盤の下面側から見た）であり、図２０は、第１基板ケース２０１Ａ（基板ボックス）、球集合板４６０、スペーサー５０１をユニット化した状態の他側面図（遊技盤の横面側から見た）であり、図２１は、図２０における球集合板４６０及びスペーサー５０１の要部を切り欠いた一部断面側面図である。
【００８２】
図２２は、第１基板ケース２０１Ａ（基板ボックス）を、スペーサー５０１及び球集合板４６０に対する被覆状体から開放（回動）させた状態の一方向から見た斜視図であり、図２３は、第１基板ケース２０１Ａ（基板ボックス）を、スペーサー５０１及び球集合板４６０に対する被覆状体から開放（回動）させた状態の他の方向から見た斜視図であり、図２４（Ａ）（Ｂ）（Ｃ）は、第１基板ケース２０１Ａ（基板ボックス）がスペーサー５０１及び球集合板４６０に対する被覆状体から開放（回動）させるときの作用工程を示す要部の縦断側面図であり、図２５（Ａ）（Ｂ）（Ｃ）は、第１基板ケース２０１Ａ（基板ボックス）がスペーサー５０１及び球集合板４６０に対して開放されている状体から被覆状体に移行する（回動）ときの作用工程を示す要部の縦断側面図である。
【００８３】
図２６は、球集合板４６０の正面図（遊技盤の裏面側から見た）であり、図２７は、球集合板４６０の背面図（遊技盤の正面側から見た）であり、図２８は、スペーサー５０１の正面図（遊技盤の裏面側から見た）であり、図２９は、スペーサー５０１の背面図（遊技盤の正面側から見た）である。図３０は、係止部材４８０の遊技盤３０及び球集合板４６０に対する嵌着作用を示す一方向から見た要部の斜視図であり、図３１は、係止部材４８０の遊技盤３０及び球集合板４６０に対する嵌着作用を示す他の方向から見た要部の斜視図であり、図３２は、係止部材４８０により遊技盤３０及び球集合板４６０が嵌着された状態の要部の斜視図である。
【００８４】
図３３は、遊技盤３０の嵌合部４８１の開口４８１Ａを示す正面図（遊技盤の裏面側から見た）、図３４は、図３３におけるＡ−Ａ矢視断面、図３５は、図３３におけるＢ−Ｂ矢視断面である。図３６は、スペーサー５０１に設けられた保持部５０５の全体の上側の一方向から見た斜視図、図３７は、保持部５０５の全体の上側の他の方向から見た斜視図、図３８は、保持部５０５の全体の平面図、図３９は、
保持部５０５の本体５０５Ａから弾性係合機構５０６の要部を取り外した状態の斜視図、図４０は、保持部５０５の本体５０５Ａから弾性係合機構５０６の要部を取り外した状態の平面図、図４１は、弾性係合機構５０６の要部の前側から見た斜視図であり、図４２は、弾性係合機構５０６の要部の後側から見た斜視図であり、図４３は、弾性係合機構５０６の要部の側面図であり、図４４は、弾性係合機構５０６の要部の平面図である。
【００８５】
次いで、球集合板４６０について説明する。
図１２、図１３並びに図２６及び図２７に示すように、球集合板４６０は、他の成型部と同様の合成樹脂の一体成型品で、基本的には、２ｍｍ厚の板状体で成型されており、所定の電気部品を配置する空間、中継基板取り付け部（ネジ止め）４７０Ａ、スペーサー５０１（中間部材）に対するネジ止め用ボス部、電気部品を配置するための貫通孔、遊技盤３０に対する一対の取り付け部４７８等を供えている。
勿論、本来の機能である遊技球の収集と排出のための通路（排出樋）を備えているものであり、かかる構造は従前の通りである。
【００８６】
この球集合板４６０を裏面（遊技機の裏面側）から見ると、中央上部位置に、中継基板取り付け部４７０Ａが設けられ、ここに中継基板取付台４７１がネジ止めされている。この中継基板取付台４７１は、１３９ｍｍＸ３７ｍｍの矩形状の台座であって、上部に中継基板４７０を受け止める凹部（深さ７ｍｍ）を備えている、両側部の脚部において、球集合板４６０に夫々ネジ止めされている。
そして、前記球集合板４６０の一側部には、軸受け部５０４（連結台座部材４３０に対する）が設けられ、そこには一対の嵌合孔５０４Ａ、５０４Ａ（スペーサー５０１に対する）が設けられている。
この軸受け部５０４には、軸受け溝５０４Ｂ、５０４Ｂが形成され、ここに、後述する連結台座部材４３０の回動軸４１０、４１０が嵌合され、その軸受け溝５０４Ｂ、５０４Ｂは、後述するように上方からスペーサー５０１の一部によって被覆され、軸受け部が完成される。
【００８７】
そして、中継基板取り付け部４７０Ａの両側位置で、所定の距離を離して、スペーサー５０１（中間部材）に対するネジ止め用ボス部４７２、４７２が嵌合部材として突設されている。このネジ止め用ボス部４７２、４７２には、球集合板４６０の裏面側から挿入できるネジ孔４７３、４７３が形成されており、ネジが球集合板４６０の裏面側から挿入されて、スペーサー５０１（中間部材）に羅合（後述する）されるように構成されている。
更に、球集合板４６０の周囲には、球集合板周壁４６２が形成されており、一部の切り欠き部を除き、内部が外部より隔離されるように構成されている。そして、この球集合板周壁４６２は、ここに対応敷設されるスペーサー（中間部材）５０１の後述するスペーサー周壁５０２に接当し、球集合板４６０の裏面を被覆し、外部から隔離されるように構成されている。
【００８８】
また、球集合板４６０を正面（遊技機の裏面側）から見ると、大当たり時に開く大入賞口装置４７４を取り付けるための大入賞口用開口４７５が、前記中継基板取り付け部４７０Ａの下方位置に形成されており、その上方の、中継基板取付台４７１に略隠れる位置に、始動口３３及び羽根もの可変入賞装置４７６のための始動口用開口４７７が開口されている。
【００８９】
また、球集合板４６０を前面（遊技機の正面側）から見ると、その左右側部の下方位置に、遊技盤３０に対する一対の取り付け部４７８、４７８が設けられている。即ち、係止部材４８０、４８０の一端の突片（後述する）を係合させる取り付け部４７８、４７８が、前記球集合板４６０の前面側の両端部近傍位置で、且つ、該球集合板の裏面側の前記スペーサーにより被覆される位置に各一箇所設けられているのである。
この取り付け部４７８、４７８は、開孔４７８Ａ，４７８Ａを備えたボス部４７８Ｂ，４７８Ｂからなり、このボス部４７８Ｂ，４７８Ｂが球集合板４６０の前面の平面レベルよりも突出されている。前記開孔４７８Ａ，４７８Ａの内部には、係合突片用リブ４７８Ｃ，４７８Ｃが設けられている。この係合突片用リブ４７８Ｃ，４７８Ｃは、ここに挿入される係止部材４８０、４８０の一端の突片（後述する）を係止するためもので、その係止部材４８０、４８０の他端は、後述するように遊技盤３０の所定の箇所に嵌合される。
更に、球集合板４６０を前面（遊技機の正面側）から見ると、その左右側部の上方位置（上方突出板）にも、遊技盤３０に対する一対の取り付け部４７８、４７８が設けられている。即ち、前記係止部材４８０、４８０の一端の前記突片（小突片４８０Ａ、４８０Ａ）を係合させる取り付け部４７８、４７８が、前記球集合板４６０の左右側部の上方突出板部４６０Ａ、４６０Ａで、前記スペーサーに被覆されない位置にも設けられている。
これら上方突出板部４６０Ａ、４６０Ａの取り付け部４７８、４７８は、開孔４７８ａ，４７８ａを備えたボス部４７８ｂ，４７８ｂからなり、このボス部４７８ｂ，４７８ｂが球集合板４６０の前面の平面レベルよりも突出されている。前記開孔４７８ａ，４７８ａの内部には、係合突片用リブ４７８ｃ，４７８ｃが設けられている。この係合突片用リブ４７８ｃ，４７８ｃは、ここに挿入される係止部材４８０、４８０の一端を係止するためもので、その係止部材４８０、４８０の他端は、後述するように遊技盤３０の所定の箇所に嵌合される。
【００９０】
また、前記球集合板４６０の前記取り付け部４７８、４７８（上下左右の各一対）は、該球集合板４６０の裏面部の対応する箇所に前面側開口４７８Ｄ、４７８Ｄ、４７８ｄ、４７８ｄを備えている。従って、万一、必要が生じた場合には、前記スペーサー５０１が取り外され（左右下部の取り付け部４７８、４７８の場合）、該球集合板４６０が遊技盤３０に取り付けられていない状態においては、一旦嵌着された前記係止部材４８０の後述する突片（小突片４８０Ａ、４８０Ａ）を、その裏面側開口４７８Ｄ、４７８Ｄ、４７８ｄ、４７８ｄから冶具を挿入して、変形させ、係合解除操作し、その係止部材４８０を引き抜くことが可能である。
【００９１】
次に、係止部材４８０について述べる。
前記係止部材４８０、４８０は、図１０及び図３０乃至図３２に示すように、弾性変形可能な合成樹脂成型で、全長２５ｍｍ、全幅１３ｍｍのものである。全長の中間位置にから一方に二股条の小突片４８０Ａ、４８０Ａが突設され、一端部から前記小突片４８０Ａ、４８０Ａと同一方向に二股条の大突片４８０Ｂ、４８０Ｂが突設され、その先端は、前記二股条の小突片４８０Ａ、４８０Ａの基部よりも少し手前で終端している。これらの小突片４８０Ａ、４８０Ａ及び大突片４８０Ｂ、４８０Ｂの先端部の外側には係り止めとしてのモドリ（段部）４８０Ｃ、４８０Ｃ、４８０Ｄ、４８０Ｄが、夫々形成されており、その弾性変形により二股が嵌合時に一旦狭くなり、次いで広がって、前記球集合板４６０及び遊技盤３０に対して解除不能に嵌合固定係合が行われるようにされている。
【００９２】
ここでは、前記小突片４８０Ａ、４８０Ａが、前記球集合板４６０のボス部４７８Ｂ、４７８Ｂの開孔４７８Ａ、４７８Ａに嵌合され、前記大突片４８０Ｂ、４８０Ｂが遊技盤３０の裏面の下部の対応する箇所に設けた嵌合部４８１、４８１の開口４８１Ａ、４８１Ａに嵌入され、夫々係止される。
同様に、前記球集合板４６０の上方突出板部４６０Ａ、４６０Ａの取り付け部４７８、４７８のボス部４７８ｂ，４７８ｂに対応した前記遊技盤３０の裏面の上部にも、図３３に示す如く、嵌合部４８１、４８１の開口４８１Ａ、４８１Ａが形成されており、前記係止部材４８０の大突片４８０Ｂ、４８０Ｂが嵌合される。
これら遊技盤３０の上下左右の開口４８１Ａ、４８１Ａの内部は、図３４及び図３５（横断、及び縦断面図）に示すように、段部４８１Ｂ、４８１Ｂが形成されており、ここに、大突片４８０Ｂ、４８０Ｂのモドリ（段部）４８０Ｄ、４８０Ｄが係合されるのである。
他方、前記小突片４８０Ａ、４８０Ａは、図３０乃至図３２に示すように、球集合板４６０のボス部４７８Ｂ、４７８Ｂ、４７８ｂ、４７８ｂの係合突片用リブ４７８Ｃ、４７８０Ｃ、４７８ｃ，４７８ｃに、そのモドリ（段部）４８０Ｃ、４８０Ｃが係合されるのである。
前記係合用の突片が備えられた係止部材が、弾性変形可能な合成樹脂により成型され、且つ、前記突片にモドリ（段部）が形成され、該突片の弾性変形により、前記球集合板及び遊技盤に対して解除不能に嵌合固定されていることを特徴とする。
【００９３】
次いで、スペーサー（中間部材）５０１について、図１２乃至２３及び図２８、図２９等に基づいて説明する。
上述のように、遊技盤３０の裏面と第１制御基板ユニット２０１との間には、スペーサー（中間部材）５０１が介装されている。遊技盤３０の裏面には球集合板４６０が設けられ、第１制御基板ユニット２０１は、この球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記スペーサー（中間部材）５０１は、この球集合板４６０と第１制御基板ユニット２０１との間の間隙を補填するためのものであり、当該間隙にほぼ対応した寸法を有するものとなっている。
【００９４】
上記スペーサー（中間部材）５０１は、球集合板４６０に対向する面が開放された概略横長で中空の箱形の形状を有し、その上端部にはほぼ矩形状の開口の大切欠部５１１が形成されている。この大切欠部５１１は、球集合板４６０と第１制御基板ユニット２０１とを電気的に接続するスペース、特に中継基板４７０を敷設して電気的に接続するためのスペースを確保するためのものである。尚、図２３に示すように、この大切欠部５１１を、被せる状態で埋める別のスペーサー（第２のスペーサー）８８が第１基板ケース２０１Ａ（基板ボックス）の裏面に敷設されている。
【００９５】
上記スペーサー（中間部材）５０１の内部（遊技機のい裏面側）には、図２９に示すように、複数のリブ５１２が形成されている。このリブ５１２は、スペーサー（中間部材）５０１の補強の機能だけでなく、該スペーサー（中間部材）５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【００９６】
上記スペーサー（中間部材）５０１は透明樹脂（半透明でもよい）よりなるものであり、これにより、内部での不正行為の有無等が外側から容易に視認することができ、したがって不正をより効果的に防止し得るようになっている。勿論、その素材は、透明樹脂でなく、半透明或いは不透明な素材で成形されてもよい。
【００９７】
更に、図２８（表面）、図２９（裏面）に基づいて説明すると、図２９（裏面）に示すように、スペーサー（中間部材）５０１には、その周囲にスペーサー周壁５０２が形成されており、このスペーサー周壁５０２は、前記リブ５１２よりも高さが低く形成されている部分も多々あるが、その周壁のレベルは一定であり、前記球集合板４６０に嵌合されるときに、前記球集合板４６０の周囲の球集合板周壁４６２に突合せされると、両者でもってスペーサー（中間部材）５０１の内部及び球集合板４６０の裏面が被覆、隔離される構成とされている。
そして、矩形状の大切欠部５１１は、前記球集合板４６０の中継基板取付台４７１に略対応して形成され、下方の開口の小切欠部５１３は、球集合板４６０の大入賞口用開口４７５に略対応して形成されている。
また、前記大切欠部５１１の横側部の前記リブ５１２より区画されたスペース（一つは後述するところの保持部５０５の設置スペースと同じ区画）に、前記スペーサー５０１との連結のためのボス部５０１Ａ、５０１Ａが被嵌合部材として夫々突設されており、その先端部は、前記球集合板４６０のネジ止め用ボス部４７２、４７２の先端部に一部嵌入されるよう構成されている。
また、このスペーサー（中間部材）５０１の一側部、ここでは、前記第１基板ケース２０１Ａの開閉を行う回動軸４１０、４１０を支持する軸受け部５０４に対応する箇所には、前記軸受け溝５０４Ｂ、５０４Ｂを閉鎖して軸受け部５０４を完成させる軸支部５０１Ｂが設けられ、該軸支部５０１Ｂは、前記軸受け溝５０４Ｂ、５０４Ｂに嵌り込む押さえ突片５０１Ｃ、５０１Ｃ（略直方体形状）が、その軸支部５０１Ｂの下面から突設されて構成されている。これにより、前記軸受け溝５０４Ｂ、５０４Ｂと前記押さえ突片５０１Ｃ、５０１Ｃ（略直方体形状）とによって、前記連結台座部材４３０の回動軸４１０、４１０の軸支空間を形成している。
そして、このスペーサー（中間部材）５０１の軸支部５０１Ｂには、前記球集合板４６０の一側部に設けられた軸受け部５０４の一対の嵌合孔５０４Ａ、５０４Ａに嵌合する一対の突起体５１０、５１０が突設されている。更に、前記球集合板４６０の周壁４６２の内周に接当する嵌合リブ５１２Ａが前記スペーサー５０１の周壁５０２の内側の複数の位置において、その周壁５０２よりも長く延設されている。この嵌合リブ５１２Ａは、前記スペーサー５０１を前記球集合板４６０（周壁４６２）に嵌合させる際のガイドとなると共に嵌合状態を作り出す。
【００９８】
そして、このスペーサー（中間部材）５０１には、一側部、ここでは、前記第１基板ケース２０１Ａの開閉を行う回動軸４１０、４１０を支持する軸受け部５０４とは反対側において、保持部５０５が設けられている。
この保持部５０５は、図２８、図２９及び図３６乃至図４４に示すように、樹脂成型の本体５０５Ａに弾性係合機構５０６を備えており、該弾性係合機構５０６は、スペーサー（中間部材）５０１の上面に形成された凹部５０７に、その凹み方向に直交する方向に出退自在のフック５０８と、該フック５０８の位置を弾性変位させる合成樹脂製の支持部材５０９とから構成されている。ここでは、前記フック５０８の出退方向は、前記軸受け部５０４の方向に向けて退き、反対側に復元して出る第１基板ケース２０１Ａの長手方向に沿った方向である。
【００９９】
前記支持部材５０９は、二枚の薄い板状体からなり、その一端は前記フック５０８の背後に接着（乃至融着）され、他端は、Ｕ字に曲げられてのちに背後の本体５０５Ａの壁に係止状態とされている。そして、前記フック５０８の下端部の両側には係合ピン５０８Ａ、５０８Ａが突設され、この係合ピン５０８Ａ、５０８Ａは、本体５０５Ａの壁に設けたガイド溝５０８Ｂ、５０８Ｂにスライド可能に嵌合されている。
そして、前記本体５０５Ａは、前記スペーサー（中間部材）５０１の裏面のリブ５１２により区画された一つのスペースに配置され、裏面側からネジで止められている。
従って、図２５（Ａ）、（Ｂ）、（Ｃ）に示すように、後述する第１基板ケース２０１Ａが回動されて被覆状態に至る際に、その裏面に突設された係合突起２０５が前記凹部５０７に嵌入され、内部のフック５０８に接当し、該フック５０８の曲面に接当してカム作用を受けて、その弾性係合機構５０６により内側に変位し、係合突起２０５の進入を許容し、係合突起２０５が所定ストローク進入すると、係合突起２０５の凹部２０５Ａにフック５０８が嵌まり込む状態で弾性復元し、両者の係合が成されるのである。
又、図２４（Ａ）、（Ｂ）、（Ｃ）に示すように、第１基板ケース２０１Ａが、被覆状体から回動されて開放状態に至る際は（図２４（Ａ））、所要の原因により第１基板ケース２０１Ａと後記連結台座部材４３０との封止が解除されると、第１基板ケース２０１Ａが連結台座部材４３０に対してスライド変位され、その結果、その裏面に突設された係合突起２０５と内部のフック５０８との係合が離脱され（図２４（Ｂ））、第１基板ケース２０１Ａがスペーサー５０１から開放されて、上方に回動されることになる（図２４（Ｃ））。
【０１００】
次に、連結台座部材４３０と第１基板ケース２０１Ａ（基板ボックス）について詳述する。
この連結台座部材４３０は、図１２乃至図１４及び図２１乃至図２４等に示すように、側面視でＬ字形をなすように、合成樹脂の一体成型で構成され、載置台板部４３１の幅は、連結台座部材４３０を載置するに必要な１６２ｍｍを有し、長さは、８０ｍｍであり、その側部に、１３ｍｍの側壁４３２、４３２が立設されており、その側壁４３２，４３２の内側の上部には、下向きの係合溝４３３，４３３が一側部（内側）から外側に向けて４５ｍｍ延設されている。この係合溝４３３、４３３の奥には、当たり部４３４、４３４が設けられており、後述の第１基板ケース２０１Ａの挿入時の当たりとなる（実際にはこの当たりの位置の僅か手前が封止位置）。
【０１０１】
この載置台板部４３１の外側部近傍には、４個の台座側封止部４３５・・・が所定の間隔で、幅方向に配置されており、夫々第１基板ケース２０１Ａの台座封止部４３６・・・に対応する。前記台座側封止部４３５・・・は、載置台板部４３１の上面よりも僅かに突出するボス部４３５Ａ・・・を有し（２ｍｍ）、中央にネジ孔が夫々開口されている。尚、これら台座側封止部４３５・・・は、載置台板部４３１の裏面において、円筒状のネジ係合部４３５Ｂ・・・を有するものである。
これら４個の台座側封止部４３５・・・は、定期検査等の必要に応じて順次１個ずつ使用するものであり、この封止は、封止が行われている台座側封止部４３５を破壊しない限り、封止解除できないものであって、使用の履歴が照合できるものである。
【０１０２】
そして、載置台板部４３１の外側部には、直角に下方に向けて支持壁４３６が延設され、該支持壁４３６の両側位置には、前記回動軸４１０、４１０を設ける支持リブ４３７、４３７が外方に突出するように設けられている。因みに、前記回動軸４１０、４１０は、前記支持リブ４３７、４３７の側面から何れも１６ｍｍ突設されている。そして、この実施例では、一方の支持リブ４３７は、所定の間隔を隔てた２枚の板体からなり、他方の支持リブ４３７は、互いに所定の間隔を隔てた３枚の板体から構成されており、ここに設けられた回動軸４１０、４１０は、延設された前記支持壁４３６よりも下方に位置されている（全高４６ｍｍ）。尚、前記支持リブ４３７、４３７は、前記支持壁４３６の裏面側にも形成され、補強機能を発揮するようにされているものである。
また、載置台板部４３１の横外側部には、前記側壁４３２，４３２が、前記載置台板部４３１の下側まで延設されており、その載置台板部４３１の強化を図っている。ここでは、前記支持壁４３６に近い側の側壁４３２，４３２が、他よりも依り一層下方に伸び、広幅面を形成しており、この載置台板部４３１の外側部分の強化を高めている。
【０１０３】
次いで、第１基板ケース２０１Ａの台座封止部４３６・・・と前記連結台座部材４３０との関連について説明する。
前記第１基板ケース２０１Ａが、外側ケース（第１ケースまたは第２ケース）７０および内側ケース（第２ケースまたは第１ケース）８５を含み、前記外側ケース７０側に設けられる外側封印部７１と、前記内側ケース８５側に設けられる内側封印部８６と、その外側封印部７１と内側封印部８６とを連結する封印部材８７（図１２及び図１３参照）とを有し、その封印部材８７によって前記外側封印部７１と内側封印部８６とが連結されている場合に前記制御基板８０を取り出すときには第１基板ケース２０１Ａを破壊するか或いは所定の部位を切断することを必要とするものである点については、これまで通りである。
【０１０４】
ここでは、上記外側封印部７１と内側封印部８６とは別に、前記連結台座部材４３０の台座側封止部４３５・・・に対応した台座封止部４３６・・・が、前記内側ケース８５の内側封印部８６の近傍に、４個が１６ｍｍ突設されているものである。
これらの台座側封止部４３５・・・と台座封止部４３６・・・とによって、連結台座封止部４３０Ａが構成されている。
また、この内側ケース８５の内側封印部８６の存在する横側部に、前記連結台座部材４３０の係合溝４３３，４３３に係合する突条４３８、４３８が突設されている。この突条４３８、４３８は、その突条の内側に、内側ケース８５の外面とでもって溝を形成するものであり、その奥部には、当たり部４３９、４３９が設けられており、後述の第１基板ケース２０１Ａの挿入時の当たりとなる。
従って、前記突条４３８、４３８の溝に、前記係合溝４３３，４３３を形成する突条が嵌合される。即ち、係合溝４３３，４３３と突条４３８、４３８とは、略Ｌ字形の部材からなり、これらが、互いに逆向きで嵌り合うことでスライドが成されるのである。
尚、前記突条４３８、４３８は、その下面に３本のリブが設けられて、内側ケース８５に対する取り付け強度を上げるように図られている。
【０１０５】
上記構成により、第１基板ケース２０１Ａと連結台座部材４３０との封止は、第１基板ケース２０１Ａを、前記係合溝４３３，４３３と突条４３８、４３８との係合を図り、スライドさせ、そのた台座封止部４３６・・・と台座側封止部４３５・・・とが一致するまで進行させ、一致した位置において、破断ネジＫを用いて両者を連結封止するものである。
【０１０６】
尚、前記破断ネジＫとしては、螺合させて締結（本締め）するのに必要な程度のトルクで回転させて締結した後、さらに大きい所定の高トルクで回転させると破断する破断部を備えるネジであり、具体的には例えば図１１に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【０１０７】
上記のように、本発明にかかる遊技機は、遊技盤３０の裏面側に球集合板４６０が設けられ、該球集合板４６０に対して回動自在に連結台座部材４３０が設けられ、該連結台座部材４３０に基板ボックス（第１基板ケース２０１Ａ）が取り付けられ、該基板ボックス２０１Ａが遊技盤３０の裏面を被覆する被覆状態と露出する露出状態とに開閉自在とされたものである。
【０１０８】
そして、前記球集合板４６０と前記基板ボックス２０１Ａとの間にスペーサー５０１（中間部材）が介装され、前記基板ボックス２０１Ａと前記連結台座部材４３０とが連結台座封止部４３０Ａにより封止されると共にその封止が解除されることで前記連結台座部材４３０に対して前記基板ボックス２０１Ａが変位可能とされ、  前記スペーサー５０１（中間部材）の、前記基板ボックス２０１Ａが被覆状態にあるときに前記基板ボックス２０１Ａにより被覆される部分に保持部５０５が設けられ、前記保持部５０５は、前記基板ボックス２０１Ａと前記連結台座部材４３０とが封止された状態で前記基板ボックス２０１Ａを被覆方向に回動させることで該基板ボックス２０１Ａを閉状態に保持し、前記基板ボックス２０１Ａと前記連結台座部材４３０との封止が解除されると前記基板ボックス２０１Ａの変位を許容して保持状態を解除できるように構成されているものである。
【０１０９】
そして、前記基板ボックス２０１Ａと前記連結台座部材４３０とは所定の範囲でスライド可能に係合され、前記基板ボックス２０１Ａが被覆状態にあって前記保持部５０５で保持されている状態で、前記連結台座封止部４３０Ａの封止が解除されて前記所定の範囲内でスライドされると前記保持部５０５の保持状態が解除され、前記基板ボックス２０１Ａが前記連結台座部材４３０と共に開放状態に移行できるように構成されている。
【０１１０】
また、前記連結台座部材４３０に対する前記基板ボックス２０１Ａの取り外し方向と前記連結台座封止部４３０Ａの封止を解除する前記基板ボックス２０１Ａのスライド方向とは同じ方向としているものである。
更に、前記保持部５０５が、前記スペーサー５０１に形成された凹部５０７に設けられた弾性係合機構５０６を備えており、前記基板ボックス２０１Ａの裏面に設けた係合突起２０５が該基板ボックス２０１Ａの被覆状態への回動に伴い前記弾性係合機構５０６の弾性変位によって係合することで、前記係合突起２０５が係合解除不能に係合されるように構成されているものである。
【０１１１】
また、前記保持部５０５は、前記連結台座部材４３０の回動自在の連結部位とは反対側の位置の前記スペーサー５０１に設けられている。
そして、前記弾性係合機構５０６は、前記係合突起２０５に係合するフック５０８と、該フック５０８の位置を弾性変位させる合成樹脂製の支持部材５０９とから構成されているものである。
また、前記球集合板４６０に周壁４６２が設けられ、前記スペーサー５０１にも周壁５０２が設けられ、両周壁４６２、５０２が対応し、突合せ接当するように構成されている。
【０１１２】
更に、前記球集合板４６０の周壁４６２の内周に接当する嵌合リブ５１２Ａが前記スペーサー５０１の周壁５０２の内側において、その周壁５０２よりも長く延設されている。
そして、前記球集合板４６０と前記スペーサー５０１には、その何れか一方に嵌合部材が他方に被嵌合部材が少なくとも二対設けられて両者の位置決めがなされ、この嵌合部材と被嵌合部材を通して、前記球集合板４６０の裏側からネジ止めされているが、この実施例では、前記嵌合部材は、前記球集合板４６０の側に設けたネジ止め用ボス部４７２、４７２であり、被嵌合部材は、スペーサー５０１の側に設けたボス部５０１Ａ、５０１Ａである。
【０１１３】
（作用）
本発明の特徴とする作用について述べる。
上記のように構成したことで、即ち、前記スペーサー５０１が前記球集合板４６０の前面側からネジ留めされることで、スペーサー５０１と球集合板４６０とが一体、ユニット化され、球集合板４６０に敷設の中継基板等の電気部品とともに遊技盤３０に対する取り付け作業が一本化できるのである。
この際、前記ネジ留めが、球集合板４６０の前面側から行われ３０に取り付けられると、そのネジ留めは、遊技盤３０と球集合板４６０とに挟まれて被覆された状態となり、外部から外される虞がなく、不正防止ができるものである。
そして、ユニット化された球集合板４６０及びスペーサー５０１の遊技盤３０への取付けは、係止部材４８０によって、球集合板４６０に対しても遊技盤３０に対しても嵌合固定方式で取り付けることができるので、組み付け作業が容易に行い得るものである。
【０１１４】
また、上述のように、係止部材４８０の弾性変形を利用し、その突片４８０Ａ、４８０Ｂにモドリ（段部）４８０Ｃ、４８０Ｄを形成したことで、一端係合がなされれば、その嵌合方向での押し引きでは係合解除できないもので、簡単な構造でありながら、前記球集合板４６０及び遊技盤３０に対して解除不能の嵌合固定を行い得る。
【０１１５】
更に、球集合板４６０の遊技盤３０に対する嵌着は、前記係止部材４８０だけでなく、前記４７８Ｂによっても行われるのであり、前記係止部材４８０は、嵌合状態を維持させる係止の役目が主たるものであるのに対し、このボス部４７８Ｂは、遊技盤３０の嵌合部４８１に密着嵌合されることで、その係止された状態での堅固な嵌合状態を得ることができる。
そして、係止部材４８０が弾性変形を有する素材の場合に、その嵌合固定に加え、剛体のボス部４７８Ｂによる嵌合固定により、より堅固な連結状態を得ることができるものである。
【０１１６】
また、上記ボス部４７８Ｂは、略半円弧状体が所定の間隔を隔てて対向配置されて構成され、該半円弧状体の間に前記係止部材４８０の他端が位置され、該係止部材４８０に対する防護壁を兼ねているので、弾性を有する係止部材４８０を剛体のボス部４７８Ｂの略半円弧状体で保護し、遊技盤３０の嵌合部４８１への嵌合に際して、その嵌合部４８１への衝突で変形して係止機能が発揮されなくなるような事態を回避させることができる。
【０１１７】
更に、ボス部４７８Ｂの外形又は仮想外形を長円形（トラック形）とし、球集合板４６０の両端部におけるボス部４７８Ｂの長円の長軸を、一方が上下方向（遊技盤３０の上下）に向き、他方が左右方向（遊技盤３０の左右）に向くようにすることで、長円形のボス部４７８Ｂの持つ強度（長軸方向に強い）を夫々発揮させ、全体として堅固な嵌合状態を得ることができるのである。
尚、上記仮想外形とは、ボス部４７８Ｂの外郭が連続したものとして見たときの外形で、ボス部４７８Ｂが、間隔を隔てて配置された略半円弧状体で構成されているときには、それらを繋ぐ外形をいう。
【０１１８】
また、前記球集合板４６０が、その外周近傍位置に沿って球集合板周壁４６２を備えており、前記取り付け部４７８が該球集合板周壁４６２に近接されて又はその一部が一体的に成形されていることで、前記取り付け部４７８が、係止部材４８０を介して遊技盤３０に連結されるとき、嵌着時の荷重が作用し、強度が求められるが、球集合板４６０自体は薄肉の成型品であるため十分な強度を得がたいところ、この設置位置を、球集合板周壁４６２に近接又はその一部が一体的とされることで、補強のリブ機能を発揮する球集合板周壁４６２によって十分な強度を得ることができる。
【０１１９】
更に、前記係止部材４８０の一端の前記突片４８０Ａ、４８０Ｂを係合させる取り付け部４７８が、前記球集合板４６０の左右側部の上方突出板部４６０Ａ、４６０Ａで、前記スペーサー５０１に被覆されない位置にも、前記遊技盤３０に対する一対の取り付け部４７８、４７８が設けられていることで、即ち、係止部材４８０による嵌着を、球集合板４６０の左右側部の上方突出板部４６０Ａ、４６０Ａでも行うことができるようにしたことで、球集合板４６０の上下左右側部の４箇所で嵌合固定させることができて、遊技盤３０に対する取り付けを強固なものとすることができるのである。
【０１２０】
また、上記の係止部材４８０による球集合板４６０の遊技盤３０に対する嵌着が成されるが、この嵌着は、連結機能の他に、係止部材４８０の嵌合がスペーサー５０１に被覆された位置で、外方から外すことができないという一種の封止機能を発揮しているが、遊技盤３０に対する連結固定として、更に、スペーサー５０１に被覆されていない箇所において、複数のネジ留めが成されることで、全体として強固な連結取り付け状態を得ることができる。
尚、このネジ止めとして、通常のネジを用いても、上述の破断ネジを用いてもよい。
【０１２１】
更に、上記のように構成することで、前記係止部材４８０を簡単な小型の単品成型品として安価に提供できると共に取り扱いが容易であり、その二股条の突片構造（小突片４８０Ａ及び大突片４８０Ｂ）によって、球集合板４６０及び遊技盤３０の夫々に対して、２箇所での安定係止が行い得る。そして、これらの小突片４８０Ａ及び大突片４８０Ｂの先端部の外側には係り止めとしてのモドリ（段部）４８０Ｃ、４８０Ｄが設けられていることで、球集合板４６０及び遊技盤３０に対して弾性変形して嵌合がなされ、一旦係合が行われると、その弾性復元により、解除不能の係合が得られ、これによって、堅固な連結状態を得ることができる。
【０１２２】
また、該球集合板４６０に、前記連結台座部材４３０の回動軸４１０を軸着するための軸受け溝５０４Ａ、５０４Ａを有する軸受け部５０４が設けられ、前記スペーサー５０１に、前記軸受け溝５０４Ａ、５０４Ａを閉鎖して軸受け部５０４を完成させる軸支部５０１Ｂが設けられ、前記スペーサー５０１の、前記基板ボックス２０１Ａが被覆状態にあるときに前記基板ボックス２０１Ａにより被覆される部分に保持部５０５が設けられ、前記保持部５０５は、前記基板ボックス２０１Ａと前記連結台座部材４３０とが封止された状態で前記基板ボックス２０１Ａを被覆方向に回動させることで該基板ボックス２０１Ａを閉状態に保持きるように構成されていることで、球集合板４６０を遊技盤３０に取り付ける際に、スペーサー５０１の球集合板４６０への取り付け時に連結台座部材４３０が軸着されることになり、この連結台座部材４３０と基板ボックス２０１Ａとが封止されていることで、これら球集合板４６０、スペーサー５０１、連結台座部材４３０及び基板ボックス２０１Ａがユニットとして、前記係止部材４８０を用いて、遊技盤３０に取り付けられることになり、組み付けの作業性を大幅に向上させることができる。
【０１２３】
更に、前記基板ボックス２０１Ａと前記連結台座部材４３０とが連結台座封止部４３０Ａにより封止されると共にその封止が解除されることで前記連結台座部材４３０に対して前記基板ボックス２０１Ａが変位可能とされ、前記基板ボックス２０１Ａと前記連結台座部材４３０との封止が解除されると前記基板ボックス２０１Ａの変位を許容して、前記保持部５０５の保持状態を解除できるように構成されていることで、前記球集合板４６０と前記基板ボックス２０１Ａとの間のスペーサー５０１によって、両者間のスペースを埋め、両者間からの不正介入を困難なものとすると共に該スペーサー５０１の、前記基板ボックス２０１Ａが被覆状態にあるときに前記基板ボックス２０１Ａにより被覆される部分に保持部５０５を設けたことで、前記基板ボックス２０１Ａの被覆状態の保持が容易に解除され得ないのであり、これによって、基板ボックス２０１Ａを回動させ被覆状態を開放して遊技盤３０の裏面側の電気部品に対する不正を働くことを阻止できるのである。更に、必要に応じ、基板ボックス２０１Ａと連結台座部材４３０との連結台座封止部４３０Ａの封止を解除することで、前記連結台座部材４３０に対して前記基板ボックス２０１Ａを変位させ、此れにより前記保持部５０５の保持状態を解除して前記基板ボックス２０１Ａの被覆状態を開放し、同時に前記基板ボックス２０１Ａを連結台座部材４３０から取り外すことができるのである。
そして、このような不正防止機能を備えたスペーサー５０１、基板ボックス２０１Ａを取り付けるに、球集合板４６０、スペーサー５０１、基板ボックス２０１Ａをユニット化して、係止部材４８０により嵌合方式で簡単に取付けできるのである。
【０１２４】
その他の主要な作用について述べる。
上記のように構成したことで、前記球集合板４６０と前記基板ボックス２０１Ａとの間のスペーサー５０１によって、両者間のスペースを埋め、両者間からの不正介入を困難なものとすると共に該スペーサー５０１の、前記基板ボックス２０１Ａが被覆状態にあるときに前記基板ボックス２０１Ａにより被覆される部分に保持部５０５を設けたことで、前記基板ボックス２０１Ａの被覆状態の保持が容易に解除され得ないのであり、これによって、基板ボックス２０１Ａを回動させ被覆状態を開放して遊技盤３０の裏面側の電気部品に対する不正を働くことを阻止できるのである。
更に、必要に応じ、基板ボックス２０１Ａと連結台座部材４３０との連結台座封止部４３０Ａの封止を解除することで、前記連結台座部材４３０に対して前記基板ボックス２０１Ａをスライド変位させ、此れにより前記保持部５０５の保持状態を解除して前記基板ボックス２０１Ａの被覆状態を開放し、同時に前記基板ボックス２０１Ａを連結台座部材４３０から取り外すことができるのである。
【０１２５】
また、前記基板ボックス２０１Ａと前記連結台座部材４３０とをスライド可能に係合し、前記連結台座封止部４３０Ａの封止が解除されて前記所定の範囲内でスライドされると前記保持部５０５の保持状態が解除され、前記基板ボックス２０１Ａが前記連結台座部材４３０と共に開放状態に移行できるように構成したことで、連結台座封止部４３０Ａの封止解除による前記基板ボックス２０１Ａと前記連結台座部材４３０との連結解除のスライド動作を用いて前記保持部５０５の保持状態（基板ボックス２０１Ａの被覆状態）を解除することが出来るので、一連の封止解除の動作を基板ボックス２０１Ａの被覆状態の解除に兼用利用することができる。
【０１２６】
更に、前記連結台座部材４３０に対する前記基板ボックス２０１Ａの取り外し方向と前記保持部５０５の保持状態を解除する前記基板ボックス２０１Ａのスライド方向（変位方向）とを同じ方向としたことで、前記保持部５０５の保持解除のための前記基板ボックス２０１Ａの特定方向動作を得るための構成を必要とすることがなく、連結台座封止部４３０Ａの封止解除と保持部５０５の保持状態の解除の両方の動作を一つのものとすることができるものである。
【０１２７】
また、前記保持部５０５が弾性係合機構５０６を備え、前記基板ボックス２０１Ａの裏面に設けた係合突起２０５が該基板ボックス２０１Ａの被覆状態への回動に伴い前記弾性係合機構５０６の弾性変位によって係合することで、前記係合突起２０５が係合解除不能に係合されるように構成されているので、基板ボックス２０１Ａの回動動作だけで保持部５０５の解除不能の保持状態を得ることができるものである。
【０１２８】
更に、前記保持部５０５が、前記連結台座部材４３０の回動自在の連結部位とは反対側の位置の前記スペーサー５０１に設けられていることで、基板ボックス２０１Ａは、一方側の連結台座部材４３０と他方側の保持部５０５との両側部で固定される状態となって、安定した状態で固定できる。
【０１２９】
更に、前記スペーサー５０１は、前記球集合板４６０と前記基板ボックス２０１Ａとの間の空間を埋めるものであるが、更に、その周壁５０２と、前記球集合板４６０の周壁４６２とを対応させ、突合せ接当するように構成したことで、両者間の空間をそれらの周壁により区画し、外部から隔絶させることができるのであり、これにより、より一層前記球集合板４６０と前記基板ボックス２０１Ａとの間の空間の占拠を確実なものとし、内部に対する不正アタックを阻止できるのである。
【０１３０】
また、前記球集合板４６０の周壁４６２の内周に接当する嵌合リブ５１２Ａを、前記スペーサー５０１の周壁５０２の内側において、その周壁５０２よりも長く延設されていることで、前記スペーサー５０１を前記球集合板４６０に合わせるときに、該嵌合リブ５１２Ａがガイドの役目をしながら位置決めし、両者の突合せ状態をスムースに得ることができると共にこの嵌合リブ５１２Ａは、スペーサー５０１の周壁５０２の強度アップにも寄与するものである。
【０１３１】
更に、前記球集合板４６０と前記スペーサー５０１に嵌合部材と被嵌合部材を少なくとも二対設けることで、両者の位置合わせを簡単に行い得ると共にこの嵌合部材と被嵌合部材を通して、両者を前記球集合板４６０の裏側からネジ止めするようにしたので、このスペーサー５０１をネジ止めした後に該球集合板４６０を遊技盤３０の裏面に一端取り付けると、このスペーサー５０１は、外側からネジを外すことが出来なくなるのであり、スペーサー５０１を取り外すことによる不正防止に寄与できるのである。
【産業上の利用可能性】
【０１３２】
本発明は、球集合板及び基板ボックスを備えた遊技機であれば、種々の形態の遊技機に適宜実施可能であり、その適用範囲は広いものである。
【符号の説明】
【０１３３】
３０：遊技盤
４６０：球集合板
４７８：取り付け部
４８０：係止部材
４８１：嵌合部
４３０：連結台座部材
５０１：スペーサー
【図１】
0005522420.tif 000002
【図２】
0005522420.tif 000003
【図３】
0005522420.tif 000004
【図４】
0005522420.tif 000005
【図５】
0005522420.tif 000006
【図６】
0005522420.tif 000007
【図７】
0005522420.tif 000008
【図８】
0005522420.tif 000009
【図９】
0005522420.tif 000010
【図１０】
0005522420.tif 000011
【図１１】
0005522420.tif 000012
【図１２】
0005522420.tif 000013
【図１３】
0005522420.tif 000014
【図１４】
0005522420.tif 000015
【図１５】
0005522420.tif 000016
【図１６】
0005522420.tif 000017
【図１７】
0005522420.tif 000018
【図１８】
0005522420.tif 000019
【図１９】
0005522420.tif 000020
【図２０】
0005522420.tif 000021
【図２１】
0005522420.tif 000022
【図２２】
0005522420.tif 000023
【図２３】
0005522420.tif 000024
【図２４】
0005522420.tif 000025
【図２５】
0005522420.tif 000026
【図２６】
0005522420.tif 000027
【図２７】
0005522420.tif 000028
【図２８】
0005522420.tif 000029
【図２９】
0005522420.tif 000030
【図３０】
0005522420.tif 000031
【図３１】
0005522420.tif 000032
【図３２】
0005522420.tif 000033
【図３３】
0005522420.tif 000034
【図３４】
0005522420.tif 000035
【図３５】
0005522420.tif 000036
【図３６】
0005522420.tif 000037
【図３７】
0005522420.tif 000038
【図３８】
0005522420.tif 000039
【図３９】
0005522420.tif 000040
【図４０】
0005522420.tif 000041
【図４１】
0005522420.tif 000042
【図４２】
0005522420.tif 000043
【図４３】
0005522420.tif 000044
【図４４】
0005522420.tif 000045